(57)【要約】【課題】構造材として丸棒木材を用い、施工期間の短縮、低コストを図ることのできる木造建物の接合構造および接合金具を提供する。【解決手段】木質系の構造材を用いてなる木造建物において、前記構造材として、柱１３、梁１４、桁１５、束１６、方杖１７、垂木１８、棟木１９に、断面が略円形状の丸棒木材を用いる。これら複数の構造材を接合するにあたり、各構造材の相対する接合端面に軸中心付近を通る接合用のスリット２２および外面にボルト孔２３を予め設け、当該各スリット２２に対し、ボルト孔２５をもつ接合金具３０・・・を跨ぐようにして挿入配置した状態で、ボルト部材２４をボルト孔２３，２５に挿通し、ナット２６で両者を締結する。【選択図】図１
0003139685.tif 000002
【実用新案登録請求の範囲】
【請求項１】
木質系の構造材を用いてなる木造建物において、前記構造材として断面が略円形状の丸棒木材を用い、複数の構造材を互いに接合するにあたり、各構造材の相対する接合端面に軸中心付近を通る接合用のスリットを予め設け、当該各スリットに単一の接合金具を跨ぐようにして挿入配置した状態で、これら各構造材の接合端および接合金具どうしを外側からボルト部材によって互いに締結してなることを特徴とする、木造建物の接合構造。
【請求項２】
前記接合端面からのスリットの奥行き寸法が１０ｃｍ以上５０ｃｍ以下であることを特徴とする、請求項１記載の木造建物の接合構造。
【請求項３】
前記接合金具には、柱用、梁用、桁用、束用、垂木用、方杖用、棟木用から選択される３以上の接合箇所が設けられていることを特徴とする、請求項１または請求項２記載の木造建物の接合構造。
【請求項４】
基礎部に接合する木質系の柱材として断面が略円形状の丸棒木材を用い、当該柱材を基礎部に接合するにあたり、前記柱材の接合端面に軸中心を通る接合用のスリットを予め設けるとともに、前記柱材の接合端を前記基礎部に締結するための第２の接合金具の一端を前記基礎部の接合面に固定し、前記スリットに前記接合金具の他端を挿入配置した状態で、これら柱材の接合端および接合金具の他端どうしを外側からボルト部材によって互いに締結してなることを特徴とする、請求項１ないし請求項３記載の木造建物の接合構造。
【請求項５】
畜舎の構造材として丸棒木材を用いてなることを特徴とする、請求項１ないし請求項４記載の木造建物の接合構造。
【請求項６】
請求項１記載の木造建物の接合構造に用いられる接合金具であって、金具本体と、金具本体に設けられ、接合対象の木質系の構造材の接合端面に形成された各スリットに跨ぐようにして挿入配置される３以上の接合片または接合部位が設けられ、各接合片または接合部位には、各構造材の外側からボルト部材が挿通されるボルト孔が設けられていることを特徴とする接合金具。
【考案の詳細な説明】
【技術分野】
【０００１】
本考案は、木質系の構造材を用いてなる木造建物の接合構造と、これに用いられる接合金具に関する。
【背景技術】
【０００２】
従来一般の木造建物において、柱、梁、束、方杖などの木質系の構造材としては、一般に角材が用いられる。また、柱と梁の仕口部における接合、上下の柱、あるいは梁同士の継手部における接合には、Ｌ字形、Ｔ字形あるいはフック形状の接合金物が用いられる（例えば、特許文献１等を参照）。角材の場合、丸棒木材に比べて、その外面に接合金物に対する接合面積を大きく取ることができ、接合部の強度を十分確保することができる。
【０００３】
近年、国産材の利用向上が叫ばれているが、植林後の木の手入れに大変な手間と時間が掛かる割には、木材の製品価格が安く抑えられ、需要が伸び悩んでいる。また、角材として製材できるまでには植林から通常約３５年を要し、しかも、角材の場合には、元の木に対する製品歩留り率が約５５〜６０％と大変低い（１０．５ｃｍ×１０．５ｃｍのサイズの角材の場合）という問題を抱えていた。さらに、植林後の木の手入れの際に発生する間伐材の有効利用については、現状では木材チップ用途などの限定的な利用に限られており、その用途拡大が課題の一つとされていた。
【０００４】
一方、丸棒木材の場合、同一断面積の角材に比べると、製品歩留り率を高く確保することができ、また、植林から製材までの手入れ期間が短くてすみ、さらには、間伐材を丸棒木材のまま利用することができるという種々のメリットがある。
【０００５】
しかしながら、従来の丸棒木材としては、丸太小屋組用の構造材として用いられる他は、公園の柵、アスレチックの遊具等、きわめて限定された用途に用いられるに過ぎなかった。これは、仕口部や継手部の接続に従来一般のＬ字形やＴ字形の接合金具を用いると、角材に比べると丸棒木材側の接合面積が小さく、接合強度を確保しにくいことが要因の一つと考えられていたからである。
【０００６】
【特許文献１】登録実用新案第３０４２９４５号公報
【考案の開示】
【考案が解決しようとする課題】
【０００７】
本考案は、上記課題に鑑みてなされたもので、構造材として丸棒木材を用いることができ、木造建物の工期の短縮化、低コスト化を図ることのできる、木造建物の接合構造および接合金具を提供することを目的とする。また、構造材の接合部分の強化を図れ、構造全体の強度を向上させることのできる、木造建物の接合構造および接合金具を提供することを目的とする。
【課題を解決するための手段】
【０００８】
前記課題を達成するために、本考案に係る請求項１の木造建物の接合構造は、
木質系の構造材を用いてなる木造建物において、前記構造材として断面が略円形状の丸棒木材を用い、複数の構造材を互いに接合するにあたり、各構造材の相対する接合端面に軸中心付近を通る接合用のスリットを予め設け、当該各スリットに単一の接合金具を跨がせるようにして挿入配置した状態で、これら各構造材の接合端および接合金具どうしを外側からボルト部材によって互いに締結してなることを特徴とする。
【０００９】
複数の木質系の構造材の接合部分、すなわち、柱、梁、桁、束、垂木、棟木から選択される複数の構成材の接合部分において、それらの構造材の接合端面に予め設けられた接合用の各スリットに単一の接合金具を跨がせるようにして挿入配置し、かかる状態でこれら各構造材の接合端および接合金具どうしを外側からボルト部材によって互い締結するだけで複数の構造材を容易に接合することができる。これにより、木造建物の工期が短縮されるとともに、労力の軽減が図られ、丸棒木材の使用と合わせて、結果的に低コスト化が図られる。
【００１０】
各構造材には、丸棒木材が用いられるが、接合端面に軸中心付近を通る接合用のスリットを設けることにより、接合金具に対する接合面積を角材並みあるいはそれ以上に拡大することができ、構造材の接合部分が強化され、構造全体の強度が向上する。
【００１１】
構造材に用いる丸棒木材は、角材のように四面をカットする必要がないので、同一断面積の角材に比べ、製品の歩留り率が向上する。間伐材を丸棒木材として利用できるので、間伐材の有効利用と、丸棒木材のコスト削減を図ることができる。
【００１２】
本考案に係る請求項２の木造建物の接合構造は、
接合端面からのスリットの奥行き寸法が１０ｃｍ以上５０ｃｍ以下であることを特徴とする。
【００１３】
スリットの奥行き寸法を１０ｃｍ以上確保することにより、接合金具に対する接合端の接合面積を十分に確保することができ、また、５０ｃｍ以下とすることにより、構造材自体の強度の低下を防ぐことができる。
【００１４】
本考案の請求項３に係る木造建物の接合構造は、
前記接合金具に、柱用、梁用、桁用、束用、垂木用、方杖用、棟木用から選択される３以上の接合箇所を設けたことを特徴とする。
【００１５】
例えば、３つの構造材の接合例として、柱、左右の梁を接合する場合には、柱用、左右の梁用の計３つの接合箇所を金具本体に設ける。束、左右の垂木を接合する場合には、束用、左右の垂木用の計３つの接合箇所を金具本体に設ける。また、４つの構造材の接合例として、柱、左右の梁、束を接合する場合には、柱用、左右の梁用、束用の計４つの接合箇所を金具本体に設ける。
【００１６】
本考案に係る請求項４の木造建物の接合構造は、
基礎部に接合する木質系の柱材として断面が略円形状の丸棒木材を用い、当該柱材を基礎部に接合するにあたり、前記柱材の柱脚部の接合端面に軸中心付近を通る接合用のスリットを予め設けるとともに、前記柱材の接合端を前記基礎部に締結するための第２の接合金具の一端を前記基礎部の接合面に固定し、前記スリットに前記接合金具の他端を挿入配置した状態で、これら柱材の接合端および接合金具の他端どうしを外側からボルト部材によって互いに締結してなることを特徴とする。
【００１７】
接合金具を用いて、基礎部の上面に柱材の柱脚部を容易に接合することができる。柱材の接合端面に予め設けられた軸中心付近を通る接合用のスリットにより、接合金具に対する接合面積を角材と同等かそれ以上に拡大することができ、基礎部と柱材の柱脚部の接合部分が強化され、構造全体の強度が向上する。
【００１８】
本考案に係る請求項５の木造建物における構造材の接合構造は、畜舎の構造材として丸棒木材を用いてなることを特徴とする。
【００１９】
柱に鉄骨材や角材を用いていた従来の畜舎では、畜舎内の牛や豚が柱の角に衝突しあるいは接触して怪我をする機会が多かったのに対し、本請求項の接合構造によれば、畜舎の構造材に丸棒木材を用いることにより、柱に牛や豚が衝突しあるいは接触しても、断面が丸くて木質特有の柔らかさをもつ丸棒木材の特質により、怪我をさせる可能性を大幅に減らすことができる。
【００２０】
本考案に係る請求項６の接合金具は、
請求項１記載の木造建物の接合構造に用いられる接合金具であって、金具本体と、金具本体に設けられ、接合対象の木質系の構造材の各接合端面に形成された各スリットに跨ぐようにして挿入配置される３以上の接合片とを具備し、各接合片には、各構造材の外側からボルト部材を挿通するためのボルト孔が設けられていることを特徴とする。
【００２１】
請求項６の接合金具を用いることにより、木造建物の工期の短縮化と、労力の軽減、ひいては丸棒木材も合わせて低コスト化を図ることができる。また、構造材の接合部分を強化して、構造全体の強度を向上させることができる。
【考案の効果】
【００２２】
以上説明したように、本考案の木造建物の接合構造によると、構造材を簡単に接合することができ、工期の短縮と、丸棒木材の使用と合わせて、低コストの木造建物を実現することができるという効果を奏する。また、構造材の接合端面に設けたスリットと接合金具との組み合わせによって、構造材の接合部分の強化を図り、木造建物の構造全体の強度を向上させることができるという優れた効果を奏する。
さらには、丸棒木材の使用によって、間伐材の有効利用の拡大を図ることができる効果を奏する。
【００２３】
また、本考案の接合金具によると、同接合金具を用いて、構造材としての丸棒木材を確実に接合し、接合強度を高めることができ、木造建物の構造全体の強度を向上させることができるという優れた効果を奏する。
【考案を実施するための最良の形態】
【００２４】
以下、図面を参照して、本考案の実施形態を説明する。図１および図２は、本考案が適用された木造建物の例として、牛舎の全体構造を示している。
【００２５】
図１および図２に示す牛舎１０の構造をまず説明すると、地面Ｇの上に基礎部１１が形成され、基礎部１１の土台１２の上に多数本の柱１３が建てられている。多数本の柱１３の上には梁１４および桁１５が横架され、それらの上に多数本の束１６が建てられ、束１６の上に垂木１７および棟木１８が掛け渡されている。また、隣り合う束１６と束１６との間には、それぞれ斜めに方杖１９が取り付けられている。垂木１７の上にはもや２０が取り付けられ、もや２０の上に棟木１８から両側の桁１５，１５側にかけて所定の勾配の屋根材２１が取り付けられている。屋根材２１には、例えば透光性のある塩ビ製の波板等が用いられる。
【００２６】
上記した柱１３、梁１４、桁１５、束１６、垂木１７、棟木１８、方杖１９の各木質系の構造材には、図３および図４の例に示すように、断面が円形状の丸棒木材が用いられている。丸棒木材には、いずれも間伐材が利用される。本実施形態で使用される丸棒木材の径としては、１２０ｍｍ〜１５０ｍｍのものが使用される。ただし、本考案が適用される丸棒木材は、この寸法の範囲に限られない。なお、もや２０にも上下面を屋根勾配に合わせてカットした丸棒木材が用いられている。
【００２７】
各構造材の接合端、すなわち、柱１３の各接合端１３ａ、梁１４の各接合端１４ａ、桁１５の各接合端１５ａ、束１６の各接合端１６ａ、庇側を除く垂木１７の各接合端１７ａ、棟木１８の各接合端１８ａ、方杖１９の各接合端１９ａには、それぞれ接合端面の軸中心付近を通る接合用のスリット２２が予め設けられている。また、各構造材の接合端、すなわち、上記した柱１３の各接合端１３ａ、梁１４の各接合端１４ａ、桁１５の各接合端１５ａ、束１６の各接合端１６ａ、庇側を除く垂木１７の各接合端１７ａ、棟木１８の各接合端１８ａ、方杖１９の各接合端１９ａには、それらの相対する外面から板厚方向に貫通し、各スリット２２に連通する１個又は複数個のボルト孔２３が設けられている。
【００２８】
前記各スリット２２には、各構造材の取り合い部、すなわち、各構造材の接合部において、図１に示すように、各構造材どうしを連結するための後述する接合金具３０，４０，５０，６０・・・が挿入配置され、外側からボルト孔２３に挿通されたボルト部材２４によって、両者が互いに締結されるようになっている。前記各スリット２２の奥行き寸法は１０ｃｍ以上５０ｃｍ以下とされている。
【００２９】
図５は、図１に示す牛舎１０の小屋組の第１の接合部（図１の一点鎖線の円Ａ部分）を示している。同図に示すように、小屋組の第１の接合部、すなわち小屋組の頂部には、中央の束１６、左右の垂木１７，１７、前後の棟木１８，１８の各接合端１６ａ，１７ａ，１８ａが集まっている。当該第１の接合部に使用される接合金具を図６に示す。図６に示す接合金具３０は、金具本体３１の下部に板状の束用接合片３１ａ、両側に板状の左右一対の垂木用接合片３１ｂ，３１ｂ、上部に板状の棟木用接合片３１ｃが設けられている。それらの束用接合片３１ａ、左右の垂木用接合片３１ｂ，３１ｂ、棟木用接合片３１ｃには、前記ボルト部材２４を挿通させる１個又は複数個のボルト孔２５が設けられている。なお、図５（Ａ）に示す接合金具３０は、棟木用接合片３１ｃが一つのみ設けられ、図５（Ｂ）に示す接合金具３０’は、棟木用接合片３１ｃが前後一対設けられたタイプである。
【００３０】
かかる接合金具３０，３０’を用いて、図５にしめすように、第１の接合部において、下部の束用接合片３１ａを束１６の上端のスリット２２に、左右の垂木用接合片３１ｂ，３１ｂを各垂木１７，１７のスリット２２に、棟木用接合片３１ｃを棟木１８のスリット２２に、それぞれ跨ぐようにして挿入配置し、しかる後、ボルト部材２４を、各構成部材のボルト孔２３およびこれに連通する接合金具３０側のボルト孔２５に挿通し、反対側からナット２６を螺合し、締め付けることにより、接合金具３０を介して、それら束１６、左右の垂木１７，１７、棟木１８を互いに接合させることができる。
【００３１】
図７は、図１に示す牛舎１０の小屋組の第２の接合部（図１の一点鎖線の円Ｂ部分）を示している。同図に示すように、小屋組の第２の接合部には、束１６、左右の梁１４，１４、左右の方杖１９，１９の各接合端１６ａ，１４ａ，１９ａが集まっている。当該第２の接合部に使用される接合金具を図８に示す。図８に示す接合金具４０は、一枚の金属板からなり、金具本体４１の上部に束用接合部４１ａ、下部の両側に梁用接合部４１ｂ，４１ｂ、上寄りの両角部に方杖用接合部４１ｃ，４１ｃが設けられている。それらの束用接合部４１ａ、梁用接合部４１ｂ，４１ｂ、方杖用接合部４１ｃ，４１ｃには、接合金具３０と同様に、ボルト部材２４を挿通させる１個又は複数個のボルト孔２５が設けられている。
【００３２】
かかる接合金具４０は、図７に示すように、上部の束用接合部４１ａを束１６の下端のスリット２２に、下部の両側の梁用接合部４１ｂ，４１ｂを左右の梁１４，１４の先端のスリット２２に、上寄りの両角部の方杖用接合部４１ｃ，４１ｃを左右の方杖１９，１９の先端のスリット２２に、それぞれ跨ぐようにして挿入配置し、しかる後、ボルト部材２４を、各構成部材のボルト孔２３およびこれに連通する接合金具４０側のボルト孔２５に挿通し、反対側からナット２６を螺合し、締め付けることにより、接合金具４０を介して、それら束１６、左右の梁１４，１４、方杖１９，１９を互いに接合させることができる。
【００３３】
図９は、図１に示す牛舎１０の小屋組の第３の接合部（図１の一点鎖線の円Ｃ部分）を示している。同図に示すように、小屋組の第３の接合部には、束１６、左右の垂木１７，１７、左右の方杖１９，１９の各接合端１６ａ，１７ａ，１９ａが集まっている。当該第３の接合部に使用される接合金具５０は、一枚の金属板からなり、図１０に示すように、板状の金具本体５１の下部に束用接合部５１ａ、上部の両側部に左右一対の垂木用接合部５１ｂ，５１ｂ、下寄りの両角部に左右一対の方杖用接合部５１ｃ，５１ｃが設けられている。それらの束用接合部５１ａ、垂木用接合部５１ｂ，５１ｂ、方杖用接合部５１ｃ，５１ｃには、前記接合金具３０，４０と同様に、ボルト部材２４を挿通させる１個又は複数個のボルト孔２５が設けられている。
【００３４】
かかる接合金具５０は、図９に示すように、下部の束用接合部５１ａを束１６の上端のスリット２２に、上寄りの左右の垂木用接合部５１ｂ，５１ｂを左右の垂木１７，１７の先端のスリット２２に、下寄りの左右の方杖用接合部５１ｃ，５１ｃを左右の方杖１９，１９の先端のスリット２２に、それぞれ跨ぐようにして挿入配置し、その後、ボルト部材２４を、各構成部材のボルト孔２３およびこれに連通する接合金具５０側のボルト孔２５に挿通し、反対側からナット２６を螺合し、締め付けることにより、接合金具５０を介して、それら束１６、左右の垂木１７，１７、左右の方杖１９，１９を互いに接合させることができる。
【００３５】
図１１は、図１に示す牛舎１０の小屋組の第４の接合部（図１の一点鎖線の円Ｄ部分）を示している。同図に示すように、小屋組の第４の接合部には、柱１３、左右の梁１４，１４、前後の桁１５，１５、束１６の各接合端１３ａ，１４ａ，１５ａ，１６ａが集まっている。当該第４の接合部には、図１２（Ａ）に示す接合金具６０Ａと、図１２（Ｂ）に示す接合金具６０Ｂの組み合わせからなる接合金具ユニット６０が用いられる。接合金具６０Ａは、金具本体６１の下部に板状の柱用接合片６１ａ、左右に板状の梁用接合片６１ｂ，６１ｂ、上部に板状の束用接合片６１ｃのそれぞれが設けられている。
【００３６】
接合金具６０Ｂは、金具本体６２の下部に板状の柱用接合片６２ａ、前後方向に板状の桁用接合片６２ｂ、上部に板状の束用接合片６２ｃのそれぞれが設けられている。それら接合金具６０Ａ，６０Ｂの柱用接合片６１ａ，６２ａ、梁用接合片６１ｂ，６１ｂ、桁用接合片６２ｂ，束用接合片６１ｃ，６２ｃには、他の接合金具と同様に、ボルト部材２４を挿通させる１個又は複数個のボルト孔２５が設けられている。
【００３７】
かかる接合金具ユニット６０は、接合金具６０Ａについて、下部の板状の柱用接合片６１ａを柱１３の上端のスリット２２に、左右の板状の梁用接合片６１ｂ，６１ｂを左右の梁１４，１４の先端のスリット２２に、上部の板状の束用接合片６１ｃを束１６の下端のスリット２２に、それぞれ跨ぐようにして挿入配置し、また、接合金具６０Ｂ，６０Ｂ’について、柱１３および束１６にかけて跨ぐようにして相対する外面に配置し、ボルト部材２４を、各ボルト孔２３およびこれに連通する接合金具６０Ａ，６０Ｂ，６０Ｂ’側の各ボルト孔２５に挿通し、反対側からナット２６を螺合する。
【００３８】
また、接合金具６０Ｂの桁用接合片６２ｂを桁１５の接合端１５ａのスリット２２に挿入配置し、ボルト部材２４を、ボルト孔２３および接合金具６０Ｂ側のボルト孔２５に挿通し、反対側からナット２６を螺合する。これにより、接合金具ユニット６０を介して、これら柱１３、左右の梁１４，１４、桁１５、束１６を互いに接合させることができる。
【００３９】
図１３は、図１に示す牛舎１０の小屋組の第５の接合部（図１の一点鎖線の円Ｅ部分）を示している。同図に示すように、小屋組の第５の接合部には、束１６、左右の垂木１７の各接合端１６ａ，１７ａが集まっている。当該第５の接合部に使用される接合金具７０は、図１４に示すように、金具本体７１の下部に板状の束用接合片７１ａ、上部の両側部に左右一対の板状の垂木用接合片７１ｂ，７１ｂが設けられている。それらの束用接合片７１ａ、垂木用接合片７１ｂ，７１ｂには、ボルト部材２４を挿通させる１個又は複数個のボルト孔２５が設けられている。
【００４０】
かかる接合金具７０は、図１３に示すように、下部の束用接合片７１ａを束１６の上端のスリット２２に、上部の左右の垂木用接合部７１ｂ，７１ｂを左右の垂木１７，１７の先端のスリット２２に、跨ぐようにして挿入配置し、ボルト部材２４を、ボルト孔２３および接合金具７０のボルト孔２５に挿通し、反対側からナット２６を螺合し、締め付けることにより、接合金具７０を介して、それら束１６、左右の垂木１７，１７を互いに接合させることができる。
【００４１】
図１５は、図１に示す牛舎１０の第６の接合部（図１の一点鎖線の円Ｆ部分）を示している。同図に示すように、第６の接合部には、柱１３の柱脚部の接合端１３ａと基礎部１１の土台１２が向き合っている。当該第６の接合部に使用される接合金具８０は、図１６に示すように、金具本体８１の上部に板状の柱脚接合片８１ａ、下部に土台１２の上面に設置される設置板８１ｂを介してその下面に棒状の基礎接合部８１ｃが設けられている。前記板状の柱脚接合片８１ａには、ボルト部材２４を挿通させる複数個のボルト孔２５が設けられている。基礎接合部８１ｃには土台１２からの抜け防止板８１ｄが設けられている。
【００４２】
かかる接合金具８０は、基礎部１１の土台１２の上面に、板状の柱脚接合片８１ａを垂直上向きにして、下部の設置板８１ｂを設置し、棒状の基礎接合部８１ｃは土台１２内に埋設した状態で予め取り付けられて、用いられる。そして、柱１３の柱脚部のスリット２２に、接合金具８０の柱脚接合片８１ａを挿入配置した状態で、柱１３の柱脚部の外側からボルト部材２４を、柱１３側のボルト孔２３および接合金具８０側のボルト孔２５に挿通し、反対側からナット２６を螺合することにより、接合金具８０を介して、これら柱１３の柱脚部を基礎部１１の土台１２に対し、しっかりと接合させることができる。
【００４３】
このようにして、上記した接合金具３０，４０，５０，６０，７０，８０を用いて、また、必要に応じてその他の補強金具を用いて、上記牛舎１０の構造材を簡単に接合し、組み立てることができ、施工期間の短縮化、労力の軽減、丸棒木材を用いることと合わせて、低コストの木造建物の実現を図ることができる。
【００４４】
上記牛舎１０の構造材は、上記した接合金具３０・・・を用いて、地面Ｇの上または工場内で複数の構造材毎に組み立てておき、クレーンで吊り上げて牛舎１０の構造を組み立てることができる。これにより、現場での施工期間の短縮化、低コスト化をより一層図ることができる。
【００４５】
なお、各接続金具３０・・・には、必要に応じて、筋違の一端を接合する筋違用接合片を設けることができ、また、柱１３、梁１４等には、必要に応じて、図１に示すような補強部材２７を取り付けることができる。
【００４６】
かくして、本考案の木造建物の接合構造によれば、本考案の接合金具を用いることにより、構造材を簡単に接合することができ、施工期間の短縮化、丸棒木材の使用と合わせて低コスト化を図ることができ、また、丸棒木材の使用により、間伐材の有効利用の拡大を図ることができる。さらに、本考案の接合金具を用いることにより、接合の特別な技術を必要とすることなく、ボルト部材およびナットを用いて、容易にかつ十分な強度でもって丸棒木材どうしを接合することができる。
【産業上の利用可能性】
【００４７】
本考案に係る木造建物の接合構造および接合金具は、木質系の構造材として、丸棒木材を用いることのできる、木造建物の接合構造および接合金具として、広く利用することができる。
【図面の簡単な説明】
【００４８】
【図１】本考案が適用された牛舎を示す全体側面図、
【図２】図１に示す牛舎の平面図、
【図３】柱、梁、桁、束の各構造材の外観を示す斜視図、
【図４】垂木、棟木、方杖の各構造材の外観を示す斜視図、
【図５】図１に示す牛舎の構造の第１の接合部（円Ａ）の要部拡大図、
【図６】図５に示す第１の接合部に用いられる接合金具の斜視図、
【図７】図１に示す牛舎の構造の第２の接合部（円Ｂ）の要部拡大図、
【図８】図７に示す第２の接合部に用いられる接合金具の斜視図、
【図９】図１に示す牛舎の構造の第３の接合部（円Ｃ）の要部拡大図、
【図１０】図９に示す第３の接合部に用いられる接合金具の斜視図、
【図１１】図１に示す牛舎の構造の第４の接合部（円Ｄ）の要部拡大図、
【図１２】図１１に示す第４の接合部に用いられる接合金具の斜視図、
【図１３】図１に示す牛舎の構造の第５の接合部（円Ｅ）の要部拡大図、
【図１４】図１３に示す第５の接合部に用いられる接合金具の斜視図、
【図１５】図１に示す牛舎の構造の第６の接合部（円Ｆ）の要部拡大図、
【図１６】図１５に示す第６の接合部に用いられる接合金具の斜視図である。
【符号の説明】
【００４９】
１０  牛舎（木造構造物）
１１  基礎部
１２  土台
１３  柱
１３ａ，１４ａ，１５ａ，１６ａ，１７ａ，１８ａ，１９ａ  接合端
１４  梁
１５  桁
１６  束
１７  垂木
１８  方杖
１９  棟木
２０  もや
２１  屋根材
２２  スリット
２３，２５  ボルト孔
２４  ボルト部材
２６  ナット
３０，４０，５０，６０Ａ，６０Ｂ，６０Ｂ’，７０，８０  接合金具
３１，４１，５１，６１，６２，７１，８１  金具本体
３１ａ，４１ａ，５１ａ，６１ｃ，６２ｃ，７１ａ  束用接合片（束用接合部）
３１ｂ，５１ｂ，７１ｂ  垂木用接合片（垂木用接合部）
３１ｃ  棟木用接合片（棟木用接合部）
６０  接合金具ユニット
６１ａ，６２ａ  柱用接合片（柱用接合部）
４１ｂ，６１ｂ  梁用接合片（梁用接合部）
６２ｂ  桁用接合片
４１ｃ，５１ｃ  方杖用接合部
８１ａ  柱脚接合片
８１ｂ  設置板
８１ｃ  基礎接合部
８１ｄ  抜け防止板
Ｇ  地面
【図１】
0003139685.tif 000003
【図２】
0003139685.tif 000004
【図３】
0003139685.tif 000005
【図４】
0003139685.tif 000006
【図５】
0003139685.tif 000007
【図６】
0003139685.tif 000008
【図７】
0003139685.tif 000009
【図８】
0003139685.tif 000010
【図９】
0003139685.tif 000011
【図１０】
0003139685.tif 000012
【図１１】
0003139685.tif 000013
【図１２】
0003139685.tif 000014
【図１３】
0003139685.tif 000015
【図１４】
0003139685.tif 000016
【図１５】
0003139685.tif 000017
【図１６】
0003139685.tif 000018
【手続補正書】
【提出日】平成19年12月12日(2007.12.12)
【手続補正１】
【補正対象書類名】実用新案登録請求の範囲
【補正対象項目名】全文
【補正方法】変更
【補正の内容】
【実用新案登録請求の範囲】
【請求項１】
木質系の構造材を用いてなる木造建物において、前記構造材として断面が略円形状の丸棒木材を用い、複数の構造材を互いに接合するにあたり、各構造材の相対する接合端面に軸中心付近を通る接合用のスリットを予め設け、当該各スリットに単一の接合金具を跨ぐようにして挿入配置した状態で、これら各構造材の接合端および接合金具どうしを外側からボルト部材によって互いに締結してなることを特徴とする、木造建物の接合構造。
【請求項２】
前記接合端面からのスリットの奥行き寸法が１０ｃｍ以上５０ｃｍ以下であることを特徴とする、請求項１記載の木造建物の接合構造。
【請求項３】
前記接合金具には、柱用、梁用、桁用、束用、垂木用、方杖用、棟木用から選択される３以上の接合箇所が設けられていることを特徴とする、請求項１または請求項２に記載の木造建物の接合構造。
【請求項４】
基礎部に接合する木質系の柱材として断面が略円形状の丸棒木材を用い、当該柱材を基礎部に接合するにあたり、前記柱材の接合端面に軸中心を通る接合用のスリットを予め設けるとともに、前記柱材の接合端を前記基礎部に締結するための第２の接合金具の一端を前記基礎部の接合面に固定し、前記スリットに前記接合金具の他端を挿入配置した状態で、これら柱材の接合端および接合金具の他端どうしを外側からボルト部材によって互いに締結してなることを特徴とする、請求項１ないし３のいずれか１項に記載の木造建物の接合構造。
【請求項５】
畜舎の構造材として丸棒木材を用いてなることを特徴とする、請求項１ないし４のいずれか１項に記載の木造建物の接合構造。
【請求項６】
請求項１に記載の木造建物の接合構造に用いられる接合金具であって、金具本体と、金具本体に設けられ、接合対象の木質系の構造材の接合端面に形成された各スリットに跨ぐようにして挿入配置される３以上の接合片または接合部位が設けられ、各接合片または接合部位には、各構造材の外側からボルト部材が挿通されるボルト孔が設けられていることを特徴とする接合金具。